(57)【要約】【課題】外的な衝撃に強く、容易に蓋部が開くことのない、把手構造およびロック構造を備えた携帯型情報処理装置を提供することを目的とする。【解決手段】本体部１１を構成するキャビネット１１ａ、蓋部１４を構成するキャビネット１４ａには、ハンドル１６、１７が取り付けられ、ハンドル１６、１７は支持部１６ａ、１７ａとグリップ１６ｂ、１７ｂで構成され、蓋部１４を閉じた状態で重ねられ、グリップ１６ｂ、１７ｂを一体的に握ることができる。グリップ１６ｂ、１７ｂにはロック構造が設けられ、蓋部１４を閉じることによって、本体部と締結される。【選択図】  図１
2004152230.tif 000002
【特許請求の範囲】
【請求項１】
表示装置を内蔵した蓋部と、前記蓋部を回動可能に支持する本体部と、前記蓋部筐体に設けられた第１の把手と、前記本体部筐体に設けられた第２の把手とを備え、前記第１の把手と前記第２の把手は重ねて握る形状を成すとともに、相互を締結および解除するロック構造を有することを特徴とする情報処理装置。
【請求項２】
第１の把手と第２の把手のいずれか一方にフック部、解除レバーを備え、他の一方に前記フック部を引っ掛ける開口部が設けられたロック構造を有することを特徴とする請求項１記載の携帯型情報処理装置。
【請求項３】
ロック構造のラッチを、把手の内側に設けることを特徴とする請求項１記載の携帯型情報処理装置。
【請求項４】
表示装置を内蔵した蓋部と、前記蓋部を回動可能に支持する本体部と、前記蓋部筐体に設けられた第１の把手と、前記本体部筐体に設けられた第２の把手とを備え、前記第１の把手と前記第２の把手は重ねて握る形状を成すとともに、第１の把手と第２の把手のいずれか一方にスイッチを設け、他の一方の把手と重ね合わせることにより前記スイッチをＯＮ／ＯＦＦすることを特徴とする携帯型情報処理装置。
【請求項５】
スイッチは表示装置のバックライトの電源をＯＮ／ＯＦＦするものであることを特徴とする請求項４記載の携帯型情報処理装置。
【発明の詳細な説明】
【０００１】
【発明の属する技術分野】
本発明はノート型またはラップトップ型パソコンと呼ばれる、携帯型情報処理装置に関し、詳しくは移動する際に使用する把手構造および蓋部と本体部を締結するロック構造を備えた携帯型情報処理装置に関する。
【０００２】
【従来の技術】
従来、ノート型パソコンなどの携帯型情報処理装置では、携帯型情報処理装置全体を持ち上げ、持ち運ぶ際を想定し把手構造を設ける場合がある。
【０００３】
一方、ノート型パソコンなどは通常、液晶表示装置を内蔵した蓋部と、蓋部を回動可能に支持する本体部とで構成されており、使用時には蓋部を開き、持ち運ぶ際などには蓋部を閉じ、移動中に衝撃などを受けて不意に開くことがないよう、本体部と蓋部を締結するロック構造が取り入れられている（例えば特許文献１参照）。
【０００４】
以下、従来の把手構造および蓋部と本体部を締結するロック構造を備えた携帯型情報処理装置について、図を用いて説明する。
【０００５】
図３は、従来の持ち運びを想定した場合の把手構造を設けた携帯型情報処理装置の開蓋状態を示す斜視図、図４は、蓋部を開閉する際のロック構造の詳細な構造を説明する部分斜視図である。
【０００６】
図３において、３１は情報処理装置の本体部で、内部に電気回路基板（図示せず）や外部記憶装置であるハードディスクドライブ（図示せず）などが収納され、上面に入力装置であるキーボード３２やポインティングデバイス３３が配置されている。また、３４は蓋部で、液晶表示装置３５が内蔵されている。本体部３１を構成するキャビネット３１ａにはビスなどの締結手段によって、ハンドル３６が取り付けられている。このハンドル３６は、金属の鋳造、樹脂の成形によって形成された部品で構成されており、情報処理装置の全体重量を支えることのできる強度を有する。
【０００７】
情報処理装置の使用時には蓋部３４を開き、キーボードやポインティングデバイスからデータを入力し、液晶表示装置に表示させる。移動時には蓋部３４を倒し閉じた状態でハンドル３６を握り、鞄を扱うのと同じ要領で情報処理装置を持ち運ぶ。
【０００８】
図４において、本体部３１と蓋部３４との開閉時のロック構造は、キャビネット３１ａと蓋部３４のキャビネット３４ａとの間に構成されている。３７は蓋部３４に取り付けられたノブで、爪部３７ａが一体化されており、バネ３８によって自動的に元の位置に復帰するようになっている。また、３１ｂは本体部３１のキャビネット３１ａに設けられた開口部で、蓋部３４に取り付けられたノブ３７の爪部３７ａと対向した位置に設けられている。
【０００９】
情報処理装置の閉蓋時には、ノブ３７の爪部３７ａがキャビネット３１ａの開口部３１ｂに引っ掛かり、蓋部３４と本体部３１が外れないように締結される。
【００１０】
情報処理装置の使用時にはこのノブ３７を横方向にスライド移動させることでノブ３７の爪部３７ａが本体部３１の開口部３１ｂから外れ、蓋部３４を持ち上げることができる。
【００１１】
このように、従来の携帯型情報処理装置には、持ち運びを想定した把手構造と、移動時に蓋部が開かないように締結するためのロック構造が設けられていた。
【００１２】
【特許文献１】
実用新案登録第２５３２４２５号公報
【００１３】
【発明が解決しようとする課題】
このような従来の携帯型情報処理装置のロック構造には、移動時などにおいて不用意に蓋部が開かないことが求められている。また、外的な衝撃に対してもロック構造が破壊されないことも求められている。
【００１４】
しかしながら、近年、携帯型情報処理装置は表示装置の大画面化が進み、一方では携帯型情報処理装置自身の小型化、薄型化が進んでいる。このため、蓋部を構成する全域のほとんどを液晶表示装置が占めるようになり、その空いたわずかなスペースにロック構造を配置する場合が多く、狭いスペースゆえに、構成する部品の外形に制約がある。従って、上記従来例のようなロック構造では、爪部の形状や、バネの径も小さいものとなり、蓋部と本体部の締結強度が弱いものとなる。
【００１５】
また、ロック開閉のノブが外観上剥き出した状態になっており、持ち運びの際に他の障害物に触れてしまい、蓋部が開いてしまう恐れがあった。
【００１６】
また、携帯性向上の為、把手構造を設ける場合、通常、本体部側に把手を形成することがほとんどである。この場合、重心バランスが悪くなる為、携帯型情報処理装置が傾いた状態で持ち上げられ、持ち運ぶ際、周辺の障害物や運搬者自身にぶつかり、携帯型情報処理装置内部のハードディスクドライブなどの破壊を誘発する可能性がある。さらに、蓋部と本体部の締結強度が弱いため、弱い衝撃でも不用意に蓋部が開き、蓋部の液晶表示装置が損傷を受けてしまう。
【００１７】
本発明は、外的な衝撃に強く、容易に蓋部が開くことのない、把手構造およびロック構造を備えた携帯型情報処理装置を提供することを目的とする。
【００１８】
【課題を解決するための手段】
この課題を解決するために本発明は、蓋部および本体部の両方に、把手構造を設けるとともに、把手に蓋部および本体部を締結および解除する開閉ロック構造を持たせたものである。これにより、携帯性向上の為の把手を本体部だけではなく、蓋部にも設け、移動時には、蓋部、本体部両方を一緒に握り持ち上げることで不用意に蓋部が開かない構造とし、さらに、その把手部にロック構造を設けることにより、十分なスペースの中で構成部品自体の強度を上げ、また、ロック解除ノブを把手部の内側に設けることで、ノブが障害物などに触れてロック解除され蓋部が不用意に開いてしまうことも防止できる。
【００１９】
【発明の実施の形態】
本発明の請求項１に記載の発明は、表示装置を内蔵した蓋部と、前記蓋部を回動可能に支持する本体部と、前記蓋部筐体に設けられた第１の把手と、前記本体部筐体に設けられた第２の把手とを備え、前記第１の把手と前記第２の把手は重ねて握る形状を成すとともに、相互を締結および解除するロック構造を有することを特徴とする情報処理装置であり、蓋部と本体部の２つのブロックそれぞれに設けられた把手の両方を一緒に握ることで、蓋部が不用意に開くこともなく、バランスよく持ち運びができるという作用を有する。
【００２０】
請求項２に記載の発明は、請求項１記載の携帯型情報処理装置において、第１の把手と第２の把手のいずれか一方にフック部、解除レバーを備え、他の一方に前記フック部を引っ掛ける開口部が設けられたロック構造を有することを特徴とするもので、蓋部を開閉する為のロック構造を、この把手部分に設けることで、制約のある蓋部の液晶表示装置の空いたスペースに設けるよりも十分なスペースが確保出来、構成が簡略化できると同時に部品そのものの強度もあげることが可能であるという作用を有する。
【００２１】
請求項３に記載の発明は、請求項１記載の携帯型情報処理装置において、ロック構造のラッチを、把手の内側に設けることを特徴とするもので、蓋部を開閉する為のロック構造のロックを解除するノブを、この把手の内側に設けることで、携帯型情報処理装置を持ち運びの際に不用意にノブが障害物などに触れてしまい蓋部が開いてしまうことを防止することができるという作用を有する。
【００２２】
請求項４に記載の発明は、表示装置を内蔵した蓋部と、前記蓋部を回動可能に支持する本体部と、前記蓋部筐体に設けられた第１の把手と、前記本体部筐体に設けられた第２の把手とを備え、前記第１の把手と前記第２の把手は重ねて握る形状を成すとともに、第１の把手と第２の把手のいずれか一方にスイッチを設け、他の一方の把手と重ね合わせることにより前記スイッチをＯＮ／ＯＦＦすることを特徴とする携帯型情報処理装置であり、蓋部の開閉を検知するスイッチも把手のスペースに設けることができ、蓋部の開閉の検出を確実に安定して行えるだけでなく、開閉検出のため、本体部および蓋部において従来必要だったスペースを他の目的に利用することができる。
【００２３】
請求項５に記載の発明は、請求項４記載の携帯型情報処理装置において、スイッチは表示装置のバックライトの電源をＯＮ／ＯＦＦするものであることを特徴とするもので、蓋部の開閉に合わせ表示装置のバックライトの電源を確実にＯＮ／ＯＦＦすることができる。
【００２４】
以下、本発明の実施の形態について、図１および図２を用いて説明する。
【００２５】
（実施の形態１）
図１は、本発明の一実施の形態の携帯型情報処理装置の開蓋状態を示す斜視図、図２は、内部にロック構造を設けた把手の詳細分解図である。図１において、１１は情報処理装置の本体部、１４は蓋部で、それぞれの内部構造は従来例と同様であり説明を省略する。本体部１１を構成するキャビネット１１ａ、蓋部１４を構成するキャビネット１４ａには、ビスなどの締結手段によって、ハンドル１６、１７が取り付けられている。
【００２６】
ハンドル１６、１７は支持部１６ａ、１７ａとグリップ１６ｂ、１７ｂで構成され、蓋部１４を閉じた状態で重ねられ、グリップ１６ｂ、１７ｂを一体的に握ることができる。
【００２７】
図２において、蓋部１４に取り付けられたハンドル１７のグリップ１７ｂの内側には、ノブ１８がガイド溝１７ｃに沿って移動できる様になっている。ノブ１８には爪部１８ａが一体化されており、バネ１９によって自動的に元の位置に復帰するようになっている。また、１６ｃはハンドル１６のグリップ１６ｂに設けられた開口部で、蓋部１４に取り付けられたノブ１８の爪部１８ａと対向した位置に設けられている。
【００２８】
また、２０は、ハンドル１６のグリップ１６ｂに設けられたスイッチで、図示しないリード線により、本体部１１の内部の回路と接続されている。スイッチ２０は蓋部１４の表示装置１５のバックライトの電源をＯＮ／ＯＦＦする。
【００２９】
携帯型情報処理装置の閉蓋時には、ノブ１８の爪部１８ａがグリップ１６ｂの開口部１６ｃに引っ掛かり、蓋部１４と本体部１１が外れないように締結される。携帯型情報処理装置の使用時にはこのノブ１８を横方向にスライド移動させることでノブ１８の爪部１８ａがグリップ１６ｂの開口部１６ｃから外れ、蓋部１４を開くことができる。
【００３０】
一方、蓋部１４を閉じた際、グリップ１６ｂ、１７ｂが重ねられるのに合わせ、スイッチ２０が押され、蓋部１４の表示装置１５のバックライトの電源をＯＮ／ＯＦＦする。
【００３１】
このように、ハンドルのグリップ内にロック構造を設けることにより、本体部と蓋部のロック構造に十分なスペースを取ることができ、ロック構造を構成する部品そのものの強度もあげることが可能となり、堅固なロック構造とすることができる。
【００３２】
また、蓋部と本体部のハンドルの両方を一緒に握ることで、蓋部が不用意に開くこともなく、バランスよく持ち運びができる。
【００３３】
また、ノブがグリップの内側に設けられているため、携帯型情報処理装置を持ち運びの際に不用意にノブが障害物などに触れてしまい蓋部が開いてしまうことを防止することができる。
【００３４】
また、蓋部の開閉の検出が安定して行え、表示装置のバックライトの電源のＯＮ／ＯＦＦが確実に行えるだけでなく、開閉検出のため、本体部および蓋部において従来必要だったスペースを他の目的に利用することができる。
【００３５】
【発明の効果】
以上のように本発明によれば、携帯型情報処理装置の持ち運びの際に、不用意にノブが障害物などに触れてしまい蓋部が開いてしまうなどの不意の事故を防止し、かつロック構造を構成する部品の強度を上げることができるため、製品の保護をできるという有利な効果が得られる。
【図面の簡単な説明】
【図１】本発明の一実施の形態の携帯型情報処理装置の開蓋状態を示す斜視図
【図２】本発明の一実施の形態の携帯型情報処理装置の把手の詳細分解図
【図３】従来の把手構造を設けた携帯型情報処理装置の開蓋状態を示す斜視図
【図４】蓋部を開閉する際のロック構造の詳細な構造を説明する部分斜視図
【符号の説明】
１１  本体部
１１ａ  キャビネット
１４  蓋部
１４ａ  キャビネット
１６、１７  ハンドル
１６ａ、１７ａ  支持部
１６ｂ、１７ｂ  グリップ
１８  ノブ
１８ａ  爪部
１９  バネ
２０  スイッチ
【図１】
2004152230.tif 000003
【図２】
2004152230.tif 000004
【図３】
2004152230.tif 000005
【図４】
2004152230.tif 000006